(57)【要約】【課題】小型電子機器の入力操作用に使用される四方向操作スイッチに関し、電子機器内のスペース面で有利なものの提供を目的とする。【解決手段】カバー３８の中央孔３８Ａに傾倒可能に支持された、スティック部３６とフランジ部３７からなる操作体３５を傾倒操作することにより、四角形のスイッチケース２１の四辺の各上部から隣接する辺と平行にこの辺の中点まで伸ばされた各弾性アーム３２Ａ〜３２Ｄの先端を、フランジ部３７外周に設けた突出部３７Ａ〜３７Ｄの一つが押し下げて、各弾性アーム３２Ａ〜３２Ｄの中間の押圧部３３Ａ〜３３Ｄでスイッチケース２１の四隅に配設された個別スイッチ２８Ａ〜２８Ｄの一つを動作させる構成とする。【選択図】　図１
2004103498.tif 000002
【特許請求の範囲】
【請求項１】
上部中心を押圧することにより動作する個別スイッチを、四角形の内底面の四隅それぞれに有する上面開放のスイッチケースと、このスイッチケースの四辺の上部に一つずつ配設されたヒンジ部から、隣接する辺と平行にこの辺の中点位置まで伸ばされて、上記四つの個別スイッチの一つずつの上部中心と所定の間隔をあけて対峙する押圧部を中間に有し、所定の剛性を有する四つの弾性アームと、スティック部の下端にフランジ部が一体形成され、このフランジ部下面中央の突起が上記スイッチケースの内底面中央に当接すると共に、上記四つの弾性アームそれぞれの先端上部に当接する四つの突出部を上記フランジ部の外周に有する操作体と、この操作体の上記フランジ部を回転しないが傾倒可能に中央孔で支持して上記スティック部を上方に突出させ、上記スイッチケースの上部を覆うカバーとで構成され、上記操作体のスティック部を上記スイッチケースの四辺の一つに向けて傾倒操作すると、上記フランジ部が傾き、傾いて下がった側の上記突出部が当接する上記弾性アームの一つを下方に押して、上記四つの個別スイッチの一つを動作させる四方向操作スイッチ。
【請求項２】
個別スイッチがスイッチケース内底面の四隅に設けた窪み内の固定接点の上部に、弾性金属薄板製の円形ドーム形状の可動接点をそれぞれ配設し、上記窪みの上面を可撓性の絶縁シートで覆ったものである請求項１記載の四方向操作スイッチ。
【請求項３】
スイッチケース内底面の中央に上部中心を押圧することにより動作する中央スイッチを配設すると共に、操作体を上下動可能に支持し、上記操作体のスティック部を垂直に押圧操作することにより上記中央スイッチを動作させる請求項１記載の四方向操作スイッチ。
【請求項４】
四つの弾性アームが、スイッチケースの外周四辺の上部に配設された四角形の枠体に配され、各ヒンジ部を含めて弾性を有する金属薄板または弾性を有する樹脂で一体に形成された請求項１記載の四方向操作スイッチ。
【発明の詳細な説明】
【０００１】
【発明の属する技術分野】
本発明は、各種の小型電子機器の入力操作用に使用される四方向操作スイッチに関するものである。
【０００２】
【従来の技術】
従来のこの種の四方向操作スイッチについて、図１０〜図１３を用いて説明する。
【０００３】
図１０は従来の四方向操作スイッチの正面断面図、図１１は可動接点を収容したスイッチケースの平面図を示す。
【０００４】
同図において、１は上面開放の四角形のスイッチケースで、その内底面の中央には、中央スイッチ用のコモン接点２と中心接点３Ａからなる中央固定接点３が、そして内底面の四隅には、図１１に示すように、周辺スイッチ用の四つの個別固定接点４Ａ〜４Ｄが配設され、それぞれの導出端子が外周に突出している。
【０００５】
また、５は弾性金属薄板からなる可動接点ばねで、図１１に示すように、中央固定接点３および個別固定接点４Ａ〜４Ｄのそれぞれに対応する円形ドーム形状の中央可動接点６および個別可動接点７Ａ〜７Ｄが連結部５Ａに繋がれて形成されている。
【０００６】
そして、スイッチケース１内底面の各固定接点３，４Ａ〜４Ｄに対して各可動接点６，７Ａ〜７Ｄが対向するように、可動接点ばね５はスイッチケース１内に収容され、その上部には円柱部８Ａと下端のスカート部８Ｂからなる駆動体８と、その中央孔８Ｃにより独立して上下方向の直線移動可能に支持されたスティック部９が載せられて、スカート部８Ｂ下端の四つの半球状突起１０Ａ〜１０Ｄ（半球状突起１０Ｂと１０Ｄは図示せず。）が各個別可動接点７Ａ〜７Ｄの頂部に、スティック部９の下端部９Ａが中央可動接点６の頂部にそれぞれ当接している。
【０００７】
なお、駆動体８はスイッチケース１の上部を覆うカバー１１の中央孔１１Ａにより揺動可能に支持されている。
【０００８】
このような構成の四方向操作スイッチにおいて、例えば図１２の正面断面図に矢印で示すように、スティック部９をスイッチケース１の四隅の一つに向けて傾倒操作する（同図中で左側への傾倒に相当。）と駆動体８も揺動して傾き、傾いて下がった側のスカート部８Ｂ下端の半球状突起１０Ａが対応する個別可動接点７Ａを下方に押して弾性反転させ、対向する個別固定接点４Ａに接触させることにより所定の導出端子間が導通し、スティック部９に対する傾倒方向への押圧力を除くと、個別可動接点７Ａの弾性復元力によって元の図１０の状態に復帰する。
【０００９】
なお、他の四隅の方向にスティック部９を傾倒させた場合も、上記と同様な動作となって所定の導出端子間が導通し、押圧力を除くと元の図１０の状態に復帰する。
【００１０】
一方、図１３の正面断面図に矢印で示すように、スティック部９を垂直下方に押圧操作するとスティック部９のみが下方へ直線移動し、下端部９Ａが中央可動接点６を下方に押して弾性反転させ、対向する中央固定接点３の中心接点３Ａに接触させることにより所定の導出端子間が導通し、そのスティック部９に対する下方への押圧力を除くと、中央可動接点６の弾性復元力によって元の図１０の状態に復帰するものであった。
【００１１】
なお、この出願の発明に関連する先行技術文献情報としては、例えば、特許文献１が知られている。
【００１２】
【特許文献１】
特開２００１−３５１４７８号公報
【００１３】
【発明が解決しようとする課題】
しかしながら四方向操作スイッチを使用する電子機器において、入力操作時に操作用のスティック部９を傾倒操作する方向は一般に前後左右であるために、四角形のスイッチケース１の四隅に個別スイッチを配置した上記従来の四方向操作スイッチを電子機器に装着する場合には、四角形のスイッチケース１の電子機器のケースの側面に対して４５°傾けて、つまり角度を持たせて装着しなければならないため、電子機器のケース内のスペースとして、四角形のスイッチケース１の対角線を一辺とする四角形に相当する面積を必要とし、スペース面で不利であるという課題があった。
【００１４】
本発明は、このような従来の課題を解決するものであり、使用する電子機器に装着する際に電子機器のケースの側面に対して傾けて装着する必要がなく、電子機器のケース内におけるスペース面で有利な四方向操作スイッチを提供することを目的とする。
【００１５】
【課題を解決するための手段】
上記目的を達成するために本発明は、以下の構成を有するものである。
【００１６】
本発明の請求項１に記載の発明は、上部中心を押圧することにより動作する個別スイッチを、四角形の内底面の四隅それぞれに有する上面開放のスイッチケースと、スイッチケースの四辺の上部に一つずつ配設されたヒンジ部から、隣接する辺と平行にこの辺の中点位置まで伸ばされて、四つの個別スイッチの一つずつの上部中心と所定の間隔をあけて対峙する押圧部を中間に有し、所定の剛性を有する四つの弾性アームと、スティック部の下端にフランジ部が一体形成され、フランジ部下面中央の突起がスイッチケースの内底面中央に当接すると共に、四つの弾性アームそれぞれの先端上部に当接する四つの突出部をフランジ部の外周に有する操作体と、操作体のフランジ部を回転しないが傾倒可能に中央孔で支持してスティック部を上方に突出させ、スイッチケースの上部を覆うカバーとで構成される四方向操作スイッチとしたものであり、操作体のスティック部をスイッチケースの四辺の一つに向けて傾倒操作すると、フランジ部が対応する方向に傾き、傾いて下がった側の突出部が当接する弾性アームの一つを下方に押して、四つの個別スイッチの一つを動作させることができるので、使用する電子機器に装着する際に電子機器のケースの側面に対して傾けて装着、つまり角度を持たせて装着せずとも、スティック部を前後左右に傾倒操作して入力することができる。電子機器のケース内におけるスペース面に有利な四方向操作スイッチを実現できるという作用効果を有する。
【００１７】
請求項２に記載の発明は、請求項１記載の発明において、特に、個別スイッチがスイッチケース内底面の四隅に設けた窪み内の固定接点の上部に、弾性金属薄板製の円形ドーム形状の可動接点をそれぞれ配設し、上記窪みの上面を可撓性の絶縁シートで覆ったものであり、個別スイッチの防塵性が高まると共に、低寸法で、節度感を伴って安定した動作をする安価なスイッチとすることができるという作用効果を有する。
【００１８】
請求項３に記載の発明は、請求項１記載の発明において、特に、スイッチケース内底面の中央に上部中心を押圧することにより動作する中央スイッチを配設すると共に、操作体を上下動可能に支持したものであり、操作体のスティック部の四方向への傾倒操作に加えて、スティック部を垂直方向に押圧操作することによっても中央スイッチを動作させて所定入力をすることができる四方向操作スイッチを実現できるという作用効果を有する。
【００１９】
請求項４に記載の発明は、請求項１記載の発明において、特に、四つの弾性アームが、スイッチケースの外周四辺の上部に配設された四角形の枠体に配され、各ヒンジ部を含めて弾性を有する金属薄板または樹脂で一体に形成されたものであり、四方向操作スイッチの組み立てが容易であると共に、組み立て後に操作体のスティック部を傾倒操作する際の動作が安定しているものとなるという作用効果を有する。
【００２０】
【発明の実施の形態】
以下、本発明の実施の形態について、図１〜図９を用いて説明する。
【００２１】
（実施の形態）
図１は本発明の一実施の形態による四方向操作スイッチの正面断面図、図２は分解斜視図、図３は図１のＰ−Ｐ線における断面図、図４はスイッチケースの平面図である。
【００２２】
同図において、２１は上面開放の四角形のスイッチケースで、その内底面の四隅および中央部には、窪み２２Ａ〜２２Ｄおよび２２Ｅが設けられている。
【００２３】
そして、四隅の窪み２２Ａ〜２２Ｄの底部には、それぞれ対となった中心接点２３Ａ〜２３Ｄと側部接点２４Ａ〜２４Ｄとが固定されている。
【００２４】
また、中央の窪み２２Ｅの底部にも、対となった中心接点２３Ｅと側部接点２４Ｅとが固定されている。
【００２５】
さらに、このスイッチケース２１には、図４のスイッチケースの平面図に示すように、個別導出端子２５Ａ〜２５Ｅとコモン導出端子２５Ｆが外周に突出状態に設けられ、上記中心接点２３Ａ〜２３Ｅはそれぞれ個別導出端子２５Ａ〜２５Ｅに、また側部接点２４Ａ〜２４Ｅはコモン導出端子２５Ｆに接続されている。
【００２６】
そして、２６Ａ〜２６Ｄおよび２６Ｅは、弾性金属薄板から形成された円形ドーム形状の可動接点で、その外周下端部が各窪み２２Ａ〜２２Ｄおよび２２Ｅ内の側部接点２４Ａ〜２４Ｄおよび２４Ｅ上に載せられると共に、各頂部２７Ａ〜２７Ｄおよび２７Ｅの下面が中心接点２３Ａ〜２３Ｄおよび２３Ｅと所定の間隔をあけて対峙して、可動接点２６Ａ〜２６Ｄおよび２６Ｅの上部中心を押圧することにより動作する四つの個別スイッチ２８Ａ〜２８Ｄ（個別スイッチ２８Ｂと２８Ｃは図示せず。）および中央スイッチ２８Ｅを構成している。
【００２７】
なお、これら四つの個別スイッチ２８Ａ〜２８Ｄおよび中央スイッチ２８Ｅをこのような構成とすることによって、各スイッチは低寸法で、節度感を伴って安定した動作をし、しかも安価なものにできる。
【００２８】
また、２９は可撓性を有する絶縁シートで、四つの個別スイッチ２８Ａ〜２８Ｄおよび中央スイッチ２８Ｅを収容した各窪み２２Ａ〜２２Ｅの上面を覆って防塵性を高めると共に、可動接点２６Ａ〜２６Ｅを安定位置に保っている。
【００２９】
そして、スイッチケース２１の上部に装着された３０は、弾性金属薄板を打抜き・曲げ加工して形成された駆動体で、図５の駆動体の平面図および図６の駆動体を載せたスイッチケースの平面図に示すように、スイッチケース２１の四辺の外周壁２１Ａ〜２１Ｄの上部と同寸法の枠体３０Ａの各辺に一つずつ設けられた細巾のヒンジ部３１Ａ〜３１Ｄから、四つの個別スイッチ２８Ａ〜２８Ｄの一つずつの中心を通って隣接する辺と平行に、この辺の中点位置まで伸ばされた四つの弾性アーム３２Ａ〜３２Ｄを有している。
【００３０】
この四つの弾性アーム３２Ａ〜３２Ｄは、図３に示すように、四つの個別スイッチ２８Ａ〜２８Ｄの円形ドーム形状の可動接点２６Ａ〜２６Ｄの頂部２７Ａ〜２７Ｄの一つずつと、絶縁シート２９を介し、所定の間隔をあけて対峙する押圧部３３Ａ〜３３Ｄを中間に有すると共に、アーム部全体が所定の剛性を有するようにリブ３４Ａ〜３４Ｄを設けて補強されている。
【００３１】
上記駆動体３０のように一体的な構成とすると、各弾性アーム３２Ａ〜３２Ｄどうしやそれらに設けた押圧部３３Ａ〜３３Ｄの位置ずれなどが少なくて済む。
【００３２】
そして、３５は樹脂製の操作体で、この四方向操作スイッチを操作するためのスティック部３６とその下端に一体形成されたフランジ部３７で構成されており、フランジ部３７下面中央の突起３７Ｅが、絶縁シート２９を介して中央スイッチ２８Ｅの円形ドーム形状の可動接点２６Ｅの頂部２７Ｅ上面に当接して支持され、フランジ部３７の外周には、四つの弾性アーム３２Ａ〜３２Ｄの先端上部に当接する側方に突出した突出部３７Ａ〜３７Ｄを四方向に有している。
【００３３】
また、３８はスイッチケース２１の上面開口部を覆う樹脂製のカバーで、その中央孔３８Ａの下面が、操作体３５のフランジ部３７の球状上面を回転しないが傾倒および上下動可能に支持して、スティック部３６を上方に突出させると共に、外周下面とスイッチケース２１の外周壁２１Ａ〜２１Ｄ上部との間に駆動体３０の枠体３０Ａを挟んで固定するようにしてスイッチケース２１に結合されている。
【００３４】
このときにも、各弾性アーム３２Ａ〜３２Ｄやそれらに設けた押圧部３３Ａ〜３３Ｄを一体として設けた駆動体３０を用いることにより、組み立てが容易で、かつ押圧部３３Ａ〜３３Ｄと個別スイッチ２８Ａ〜２８Ｄとの位置ずれも少なくできるため、安定して動作するものにできる。
【００３５】
本実施の形態による四方向操作スイッチは以上のように構成されるものであり、次にその動作について説明する。
【００３６】
まず第一の動作として、図１に示すこの四方向操作スイッチの通常状態において、操作体３５のスティック部３６に、図７の正面断面図に矢印で示す方向に押圧力を加えて、スイッチケース２１の四辺の一つである外周壁２１Ａに向けて大きく傾倒操作すると、操作体３５のフランジ部３７下面中央の突起３７Ｅが中央スイッチ２８Ｅの可動接点２６Ｅの頂部２７Ｅに当接する部分を中心として、フランジ部３７の球状上面がカバー３８の中央孔３８Ａ下面に沿って傾き、傾いて下がった側に設けられている外周の突出部３７Ａが下方に動いて、当接する弾性アーム３２Ａの先端部を下方に押す。
【００３７】
これにより、図７のＱ−Ｑ線における断面図である図８に示すように、弾性アーム３２Ａ全体が根元のヒンジ部３１Ａを中心として回動し、中間の押圧部３３Ａが所定の間隔をあけて対峙する個別スイッチ２８Ａの円形ドーム形状の可動接点２６Ａの頂部２７Ａに当たり、絶縁シート２９を撓ませながら可動接点２６Ａを下方に押し下げる。
【００３８】
押し下げられた可動接点２６Ａは所定の押圧力と押圧ストロークで節度感を伴って弾性反転して、頂部２７Ａ下面が中心接点２３Ａに接触することにより中心接点２３Ａと側部接点２４Ａの間が導通して、個別スイッチ２８Ａが動作し、その信号は個別導出端子２５Ａとコモン導出端子２５Ｆを介して、この多方向スイッチを使用する電子機器の回路に伝達される。
【００３９】
この後、操作体３５のスティック部３６への傾倒方向に加える押圧力を除くと、弾性アーム３２Ａおよび可動接点２６Ａがそれぞれの弾性復元力により元の形状に復帰しようとして、操作体３５のフランジ部３７外周の突出部３７Ａ下部を押し戻すと共に、中心接点２３Ａと側部接点２４Ａとの間が電気的に離れて個別スイッチ２８ＡはＯＦＦ状態となり、図１の通常状態に復帰する。
【００４０】
同様にして、操作体３５のスティック部３６をスイッチケース２１の四辺の他の外周壁２１Ｂ〜２１Ｄの一つに向けて大きく傾倒操作すると、傾倒された方向の個別スイッテ２８Ｂ，２８Ｃまたは２８Ｄを動作させることができる。
【００４１】
そして、この操作体３５のスティック部３６を傾倒操作する角度は、四つの弾性アーム３２Ａ〜３２Ｄの根元の各ヒンジ部３１Ａ〜３１Ｄから、各押圧部３３Ａ〜３３Ｄまでの寸法に対する各先端部までの寸法の割合分だけ、従来の技術の場合よりも大きくなるので、スティック部３６に誤って触れた場合等に、この四方向操作スイッチが誤動作する可能性は少ない。
【００４２】
なお、この操作体３５のスティック部３６の傾倒操作時において、四つの弾性アーム３２Ａ〜３２Ｄの先端部が下方に押される際に、その中間の押圧部３３Ａ〜３３Ｄがそれぞれ対応する個別スイッチ２８Ａ〜２８Ｄの可動接点２６Ａ〜２６Ｄを所定の押圧力と押圧ストロークで確実に弾性反転させることができるだけの剛性を有するように、弾性アーム３２Ａ〜３２Ｄにリブ３４Ａ〜３４Ｄを設けて補強していることは、前述の通りである。
【００４３】
このように、本四方向操作スイッチは、スティック部３６をスイッチケース２１の辺の方向に傾倒させることにより、対応する各個別スイッチ２８Ａ〜２８Ｄを導通状態にできるため、使用する電子機器に装着する際に電子機器のケースの側面に対して角度を持たせて装着せずともよく、電子機器のケース内におけるスペース面で有利なものとなる。
【００４４】
次に第二の動作として、図１に示す通常状態において、操作体３５のスティック部３６に、図９の正面断面図に矢印で示す垂直下方に押圧力を加えて押圧操作すると、操作体３５全体が下方に動き、操作体３５のフランジ部３７の上面がカバー３８の中央孔３８Ａの下面から離れて、フランジ部３７下面中央の突起３７Ｅが絶縁シート２９が撓ませながら中央スイッチ２８Ｅの円形ドーム形状の可動接点２６Ｅの頂部２７Ｅを下方に押す。
【００４５】
押された可動接点２６Ｅは所定の押圧力と押圧ストロークで節度感を伴いながら弾性反転して、その頂部２７Ｅ下面が中心接点２３Ｅに接触することにより中心接点２３Ｅと側部接点２４Ｅの間が導通して、中央スイッチ２８Ｅが動作し、その信号は個別導出端子２５Ｅとコモン導出端子２５Ｆを介して、この多方向スイッチを使用する電子機器の回路に伝達される。
【００４６】
この後、操作体３５のスティック部３６への垂直下方に加える押圧力を除くと、可動接点２６Ｅが自身の弾性復元力により元の形状に復帰しようとして、操作体３５のフランジ部３７下面中央の突起３７Ｅを押し戻すと共に、中心接点２３Ｅと側部接点２４Ｅの間が電気的に離れて中央スイッチ２８ＥはＯＦＦ状態となり、図１の通常状態に復帰する。
【００４７】
なお、この操作体３５のスティック部３６を垂直下方に押圧操作する際に、フランジ部３７外周の突出部３７Ａ〜３７Ｄ下部に当接している四つの弾性アーム３２Ａ〜３２Ｄの先端上部も中央スイッチ２８Ｅの可動接点２６Ｅの押圧ストローク分だけ下方へ押し下げられて、弾性アーム３２Ａ〜３２Ｄが根元のヒンジ部３１Ａ〜３１Ｄを中心として少し回動するが、これに伴う弾性アーム３２Ａ〜３２Ｄ中間の押圧部３３Ａ〜３３Ｄの下方への動きは弾性アーム３２Ａ〜３２Ｄ先端部の動きの半分以下であり、各押圧部３３Ａ〜３３Ｄとこれに対応する四つの個別スイッチ２８Ａ〜２８Ｄの可動接点２６Ａ〜２６Ｄの頂部２７Ａ〜２７Ｄの間には、前述のように、所定の間隔が設けられているので、このスティック部３６を押圧操作する際に個別スイッチ２８Ａ〜２８Ｄが動作することはない。
【００４８】
なお、以上の説明において、四つの弾性アーム３２Ａ〜３２Ｄを有する駆動体３０は弾性金属薄板を打抜き・曲げ加工して形成されたものであるとしたが、これは、弾性を有する樹脂で一体形成してもよい。
【００４９】
また、本実施の形態による四方向操作スイッチは、操作体３５のスティック部３６を傾倒操作することにより動作する四つの個別スイッチ２８Ａ〜２８Ｄに加えて、スティック部３６を押圧操作することにより動作する中央スイッチ２８Ｅを備えているとしたが、これを、中央スイッチ２８Ｅを無くして四つの個別スイッチ２８Ａ〜２８Ｄのみとし、操作体３５のフランジ部３７下面中央の突起３７Ｅをスイッチケース２１の内底面で支持するようにしてもよいものである。
【００５０】
そして、上記構成の際には、スイッチケース２１の内底面において、突起３７Ｅに応じた位置に窪みなどを設け、そこに突起３７Ｅを回動可能に支持するものとすると安定した傾倒操作のものとなる。
【００５１】
【発明の効果】
以上のように本発明によれば、操作体のスティック部をスイッチケースの四辺の一つに向けて傾倒操作すると、フランジ部が傾き、傾いて下がった側の突出部が当接している弾性アームの一つを下方に押して、四つの個別スイッチの一つを動作させることができるので、使用する電子機器に装着する際に電子機器のケースの側面に対して傾けて装着する、つまり角度を持たせて装着しなくても、スティック部を前後左右に傾倒操作して入力することができる、電子機器のケース内におけるスペース面で有利な四方向操作スイッチを実現できるという有利な効果が得られる。
【図面の簡単な説明】
【図１】本発明の一実施の形態による四方向操作スイッチの正面断面図
【図２】同分解斜視図
【図３】同図１のＰ−Ｐ線における断面図
【図４】同要部であるスイッチケースの平面図
【図５】同要部である駆動体の平面図
【図６】同要部である駆動体を載せたスイッチケースの平面図
【図７】同スティック部を傾倒操作した状態を示す正面断面図
【図８】同図７のＱ−Ｑ線における断面図
【図９】同スティック部を押圧操作した状態を示す正面断面図
【図１０】従来の四方向操作スイッチの正面断面図
【図１１】同要部である可動接点を収容したスイッチケースの平面図
【図１２】同スティック部を傾倒操作した状態を示す正面断面図
【図１３】同スティック部を押圧操作した状態を示す正面断面図
【符号の説明】
２１　スイッチケース
２１Ａ〜２１Ｄ　外周壁
２２Ａ〜２２Ｅ　窪み
２３Ａ〜２３Ｅ　中心接点
２４Ａ〜２４Ｅ　側部接点
２５Ａ〜２５Ｅ　個別導出端子
２５Ｆ　コモン導出端子
２６Ａ〜２６Ｅ　可動接点
２７Ａ〜２７Ｅ　頂部
２８Ａ〜２８Ｄ　個別スイッチ
２８Ｅ　中央スイッチ
２９　絶縁シート
３０　駆動体
３０Ａ　枠体
３１Ａ〜３１Ｄ　ヒンジ部
３２Ａ〜３２Ｄ　弾性アーム
３３Ａ〜３３Ｄ　押圧部
３４Ａ〜３４Ｄ　リブ
３５　操作体
３６　スティック部
３７　フランジ部
３７Ａ〜３７Ｄ　突出部
３７Ｅ　突起
３８　カバー
３８Ａ　中央孔
【図１】
2004103498.tif 000003
【図２】
2004103498.tif 000004
【図３】
2004103498.tif 000005
【図４】
2004103498.tif 000006
【図５】
2004103498.tif 000007
【図６】
2004103498.tif 000008
【図７】
2004103498.tif 000009
【図８】
2004103498.tif 000010
【図９】
2004103498.tif 000011
【図１０】
2004103498.tif 000012
【図１１】
2004103498.tif 000013
【図１２】
2004103498.tif 000014
【図１３】
2004103498.tif 000015